(57)【要約】【課題】車両幅計測手段によって計測された車両幅の正否を判定することができる車両判別装置を提供する。【解決手段】通過する車両の車種を判別する車両判別装置であって、車両の車両幅を計測する車両幅計測手段と、車両の軸数を計測する軸数計測手段と、車両の車長を計測する車長計測手段と、車両幅と、軸数と、車長とが予め関係付けられた判別テーブルを記憶する記憶手段と、判別テーブルを参照して、車両幅計測手段によって計測した車両幅の正否を判定して判定結果を出力する判定手段とを備えた。【選択図】図１
2010198572.tif 000002
【特許請求の範囲】
【請求項１】
通過する車両の車種を判別する車両判別装置であって、
前記車両の車両幅を計測する車両幅計測手段と、
前記車両の軸数を計測する軸数計測手段と、
前記車両の車長を計測する車長計測手段と、
車両幅と、軸数と、車長とが予め関係付けられた判別テーブルを記憶する記憶手段と、
前記判別テーブルを参照して、前記車両幅計測手段によって計測した前記車両幅の正否を判定して判定結果を出力する判定手段と
を備えたことを特徴とする車両判別装置。
【請求項２】
前記車両に取り付けられたナンバープレートのナンバー情報を読み取るナンバー情報読取手段をさらに備え、
前記判別テーブルは、前記車両幅、前記軸数及び前記車長に加え、ナンバー情報が関係付けられ、
前記判定手段は、前記車両幅の正否を判定できない場合は、前記判別テーブルを参照して、前記ナンバー情報読取手段によって読み取ったナンバー情報に基づいて、前記車両幅計測手段によって計測した前記車両幅の正否を判定すること特徴とする請求項１に記載の車両判別装置。
【請求項３】
前記車両幅計測手段は、踏板式のセンサを備えることを特徴とする請求項１に記載の車両判別装置。
【請求項４】
通過する車両の車種を判別するために、前記車両の車両幅を計測する車両幅計測手段と、前記車両の軸数を計測する軸数計測手段と、前記車両の車長を計測する車長計測手段と、車両幅と、軸数と、車長とが予め関係付けられた判別テーブルを記憶する記憶手段とを備える車両判別装置上のコンピュータが車両判別する方法であって、
前記コンピュータが、前記判別テーブルを参照して、前記車両幅計測手段によって計測した前記車両幅の正否を判定する判定ステップを有することを特徴とする車両判別方法。
【発明の詳細な説明】
【技術分野】
【０００１】
本発明は、高速道路等の有料道路の料金所出口に設けられる自動料金収受システム等に用いられる車両判別装置及び車両判別方法に関する。
【背景技術】
【０００２】
従来から、通行券の内容に矛盾がある車両や、規定外料金が適用された車両に対しても料金収受システムによる迅速な料金収受を可能とし、料金収受に要する時間の短縮を図るとともに、収受監視員の負担の低減化を図ることができる有料道路の料金収受システム用監視盤知られている（例えば、特許文献１参照）。
【０００３】
この有料道路の料金収受システム用監視盤は、料金所出口に到着した車両について画像処理機によって認識された識別番号情報と、車両の画像情報と、料金収受動作の画像情報とを受信する監視盤と、受信された車両および料金収受動作の画像情報を、複数の分割画面のうちの何れか２つから表示すると共に、監視盤によって受信された識別番号情報を、複数の分割画面のうちの何れかからスーパーインポーズ表示する監視盤とを備えている。
【先行技術文献】
【特許文献】
【０００４】
【特許文献１】特開２００３−２０３２５４号公報
【発明の概要】
【発明が解決しようとする課題】
【０００５】
ところで、通行する車両の検出を行う手段として、踏板式のセンサが知られている。踏板式のセンサは、車両を検出するべき路面に埋設しておき、上を通過する車両重量の圧力が加えられた位置を検出することにより、車両の軸数等を検出するものである。この踏板式のセンサは、図３（ａ）、（ｂ）に示すように、車両の通行料金を収受するシステムにおいて、車種判別を行う際に、車両の幅を検出することにより、二輪の車両と、四輪以上の車両の判別を行うことが可能である。従来の料金収受システム用監視盤のように、画像処理による車両判別は、システムの処理負荷が高くなるとともに、通行車両の通過速度が高いと、高速な画像処理が要求されるため、システムのコストが増大するという問題がある。踏板式のセンサによって、車幅を検出することにより、車種判別を行うことができれば、システムの処理負荷を軽減することができる。
【０００６】
しかしながら、踏板式のセンサを用いて車両幅を検出する場合、図３（ｃ）に示すように、故意に車両を脱輪させて走行すると、四輪車を二輪車と誤判別してしまうという問題ある。
【０００７】
本発明は、このような事情に鑑みてなされたもので、車両幅計測手段によって計測された車両幅の正否を判定することができる車両判別装置及び車両判別方法を提供することを目的とする。
【課題を解決するための手段】
【０００８】
本発明は、通過する車両の車種を判別する車両判別装置であって、前記車両の車両幅を計測する車両幅計測手段と、前記車両の軸数を計測する軸数計測手段と、前記車両の車長を計測する車長計測手段と、車両幅と、軸数と、車長とが予め関係付けられた判別テーブルを記憶する記憶手段と、前記判別テーブルを参照して、前記車両幅計測手段によって計測した前記車両幅の正否を判定して判定結果を出力する判定手段とを備えたことを特徴とする。
【０００９】
本発明は、前記車両に取り付けられたナンバープレートのナンバー情報を読み取るナンバー情報読取手段をさらに備え、前記判別テーブルは、前記車両幅、前記軸数及び前記車長に加え、ナンバー情報が関係付けられ、前記判定手段は、前記車両幅の正否を判定できない場合は、前記判別テーブルを参照して、前記ナンバー情報読取手段によって読み取ったナンバー情報に基づいて、前記車両幅計測手段によって計測した前記車両幅の正否を判定すること特徴とする。
【００１０】
本発明は、前記車両幅計測手段は、踏板式のセンサを備えることを特徴とする。
【００１１】
本発明は、通過する車両の車種を判別するために、前記車両の車両幅を計測する車両幅計測手段と、前記車両の軸数を計測する軸数計測手段と、前記車両の車長を計測する車長計測手段と、車両幅と、軸数と、車長とが予め関係付けられた判別テーブルを記憶する記憶手段とを備える車両判別装置上のコンピュータが車両判別する方法であって、前記コンピュータが、前記判別テーブルを参照して、前記車両幅計測手段によって計測した前記車両幅の正否を判定する判定ステップを有することを特徴とする。
【発明の効果】
【００１２】
本発明によれば、車両幅計測手段によって計測された車両幅の正否を判定するようにしたため、正確な車種判別を行ことができるという効果が得られる。
【図面の簡単な説明】
【００１３】
【図１】本発明の一実施形態の構成を示すブロック図である。
【図２】図１に示すシステムの動作を示すフローチャートである。
【図３】従来技術の問題点を示す説明図である。
【発明を実施するための形態】
【００１４】
以下、図面を参照して、本発明の一実施形態による車両判別装置を説明する。図１は同実施形態の構成を示すブロック図である。この図において、符号１は、通過する車両の後方から車両の画像を撮像するカメラであり、少なくとも車両が通過したことを検出した時点で、車両の後面の静止画像を撮像することができる。符号２は、カメラ１が撮像した画像から車両のナンバープレート部分を抽出し、ナンバープレートに記載されている情報を画像処理によって読み取るナンバー読取部である。符号３は、光を使用して、通過した車両の検出を行う光センサである。符号４は、光センサ３の出力情報に基づいて、通過した車両の車長を計測する車長計測部である。符号５は、車両が通過する路面に埋設された踏板センサである。符号６は、踏板センサ５の出力情報に基づいて、車両の軸数を計測する軸数計測部である。符号７は、踏板センサ５の出力情報に基づいて、車両の車幅（左右のタイヤの距離；トレッド）を計測する車幅計測部である。
【００１５】
符号８は、ナンバー読取部２、車長計測部４、軸数計測部６及び車幅計測部７が出力する情報に基づいて、通過車両の車種を判別する車種判別部である。符号９は、車両幅と、軸数と、車長と、ナンバー情報とが予め関係付けられた判別テーブルを記憶する判別テーブル記憶部である。符号１０は、監視員が通過車両の画像を目視で確認して通過車両の判別を行うための監視装置である。符号１１は、車種判別部８から出力される車種識別情報に基づいて、通過車両に対して通行料等の課金処理を行う課金装置である。
【００１６】
なお、図１に示す装置において、カメラ１、ナンバー読取部２、光センサ３、車長計測部４、踏板センサ５、軸数計測部６、車幅計測部７、監視装置１０及び課金装置１１は、公知のものを使用するため、詳細な構成や動作の説明を省略する。
【００１７】
次に、図２を参照して、図１に示す車種判別部８の処理動作を説明する。まず、車種判別部８は、車長計測部４が出力する車長情報、軸数計測部６が出力する軸数情報及び車幅計測部７が出力する車両幅情報を読み込む（ステップＳ１）。
【００１８】
次に、車種判別部８は、読み込んだ車両幅情報の正否を判定するために、判別テーブル記憶部９に記憶されている判別テーブルを参照して、読み込んだ車両幅情報、車長情報及び軸数情報の妥当性を確認する（ステップＳ２）。判別テーブルには、通過可能な車両の車両幅毎に、妥当な軸数、車長、ナンバー情報が予め関係付けて記憶されている。読み込んだ車両幅と同じ車両幅に関係付けられている軸数と車長が、読み込んだ軸数と車長と同等の値が関係付けられているか否かによって妥当性を確認することができる。
【００１９】
次に、車種判別部８は、判別テーブルを参照することにより、読み込んだ車両幅が妥当であるか否かを判定する（ステップＳ３）。この判定の結果、妥当であれば、車種判別部８は、読み込んだ車両幅に基づいて、車種の判別を行い（ステップＳ６）、判別した車種情報を課金装置１１へ通知する。これにより、課金装置１１において車種に応じた課金処理が行われる。
【００２０】
判定の結果、妥当な車両幅でなかった場合、車種判別部８は、ナンバー読取部２からナンバー情報を読み取り、この読み取ったナンバー情報が、判別テーブルに記憶されているナンバー情報と一致するか否かにより、ナンバー情報の妥当性を確認し（ステップＳ４）、読み込んだ車両幅が妥当であるか否かを判定する（ステップＳ５）。この判定の結果、妥当であれば、車種判別部８は、読み込んだ車両幅に基づいて、車種の判別を行い（ステップＳ６）、判別した車種情報を課金装置１１へ通知する。これにより、課金装置１１において車種に応じた課金処理が行われる。
【００２１】
一方、ナンバー情報と車両幅が妥当でなく、車種の判別ができなかった場合、車種判別部８は、監視装置１０に対して、不正な通行を行った車両である可能性が高いと判断し、目視による車種判別を指示する通知を行う。これを受けて、監視装置１０の監視員は、通行車両を撮像した画像を目視で確認し、車種の判別を行い、判別した車種の情報を監視装置１０に対して入力する。監視装置１０は、車種情報が入力された場合、この入力された車種情報を課金装置１１へ通知する。これにより、課金装置１１において車種に応じた課金処理が行われる。
【００２２】
以上説明したように、二輪車と四輪車等の車種判別を行う前に、車両幅の計測結果の妥当性を確認するために、車両幅以外の車両特徴量（ナンバープレート情報読み取り結果、軸数計測値、車長計測値）より、計測した車両幅が妥当な値であるか否かを確認するようにしたため、二輪車と四輪車等の判別を確実に行うことができる。また、車両幅計測値が無効であると判定した場合は、監視装置に対して、車種判別ができなかったことを通知するようにしたため、監視装置のカメラ画像によって、車種を判別することができる。
【００２３】
また、ナンバープレート情報は、ナンバープレートの付替え、取外し等による不正が可能であるため、軸数と車長の計測値に基づく妥当性判定を優先するようにしたため、妥当性判定を確実に行うことができる。
【００２４】
また、ナンバープレート情報の読み取りは、画像処理により行うため、読み取り処理に時間を要するが、まず軸数計測値と車長計測値により、車両幅計測結果の妥当性を評価し、妥当性が確認された場合は、その結果にて車種判別を行うため、画像処理による判別時間を短縮することができる。また、軸数計測値と車長計測値による妥当性の確認ができなかった場合は、ナンバープレート情報にて妥当性評価を行うため、判別精度を向上させることができる。
【００２５】
なお、図１における車種判別部の機能を実現するためのプログラムをコンピュータ読み取り可能な記録媒体に記録して、この記録媒体に記録されたプログラムをコンピュータシステムに読み込ませ、実行することにより車両判別処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００２７】
１・・・カメラ、２・・・ナンバー読取部、３・・・光センサ、４・・・車長計測部、５・・・踏板センサ、６・・・軸数計測部、７・・・車幅計測部、８・・・・車種判別部、９・・・判別テーブル記憶部、１０・・・監視装置、１１・・・課金装置
【図１】
2010198572.tif 000003
【図２】
2010198572.tif 000004
【図３】
2010198572.tif 000005